(57)【要約】      （修正有）【課題】食パンを容易にスライス切断できる食パン用スライス装置を提供する。【解決手段】支持テーブル１に載置した食パンの端面を前面の受板３に当接した状態で、左右の規制板４，４のスリット５に切断刃を挿入することにより、食パンを所定の厚さでスライス切断するように構成されている。受板３は、スライスの厚さ方向に移動自在かつ固定自在とされた厚さ選択機構１６を介して支持テーブル１に取付けられている。厚さ選択機構１６は、受板３から延設された嵌合板１７と、支持テーブル１の上面で嵌合板を摺動自在に嵌合させる嵌合溝１８と、嵌合板１７の下面に向けて付勢される揺動部材１９を備え、揺動部材１９の上面に設けた係止爪を嵌合板１７の下面に配置された複数の被係止爪に対して選択的に係止し、操作片により揺動部材１９を下動したとき、係止爪を被係止爪から離反させる。【選択図】図２
0003170469.tif 000002
【実用新案登録請求の範囲】
【請求項１】
支持テーブル(1)と、前記支持テーブルの前面に立設された受板(3)と、前記支持テーブルの両側面に立設された規制板(4,4)を備え、支持テーブルに載置した食パンの端面を前記受板(3)に当接した状態で、規制板(4,4)の上下方向に延設されたスリット(5)に切断刃(6a)を案内することにより、食パンを所定の厚さでスライス切断する装置において、
前記受板(3)は、前記スライスの厚さ方向(X)に移動自在かつ固定自在とされた厚さ選択機構(16)を介して前記支持テーブル(1)に取付けられており、
前記厚さ選択機構(16)は、前記受板(3)から前記厚さ方向(X)に延設された嵌合板(17)と、前記支持テーブル(1)の上面で前記嵌合板を前記厚さ方向(X)に摺動自在に嵌合させる嵌合溝(18)と、前記支持テーブル(1)から延設されると共に前記嵌合溝に嵌合された嵌合板の下面に向けて付勢される揺動部材(19)を備え、
前記揺動部材(19)の上面に設けた係止爪(21)を、前記厚さ方向(X)に間隔をあけて前記嵌合板(17)の下面に配置された複数の被係止爪(20)に対して選択的に係止することにより前記嵌合板(17)の摺動を阻止するように構成され、
前記揺動部材(19)から前記支持テーブルの前端を超えて延びる操作片(19a)を設け、該操作片を下動することにより前記係止爪(21)を被係止爪(20)から離反させるように構成して成ることを特徴とする食パン用スライス装置。
【請求項２】
前記支持テーブル(1)の上面に、前記嵌合溝(18)に臨んで前記嵌合板(17)の位置を表示するスライス厚さ表示手段(22)を設けて成ることを特徴とする請求項１に記載の食パン用スライス装置。
【請求項３】
前記規制板(4,4)は、相互の間隔(W)を調整自在とする調節機構(23)を介して支持テーブル(1)に取付けられて成ることを特徴とする請求項１又は２に記載の食パン用スライス装置。
【考案の詳細な説明】
【技術分野】
【０００１】
本考案は、一般家庭において食パンを容易にスライス切断できる食パン用スライス装置に関する。
【背景技術】
【０００２】
従来、食パン用スライス装置が提案されており、該装置は、支持テーブルと、前記支持テーブルの前面に立設された受板と、前記支持テーブルの両側面に立設された規制板を備え、支持テーブルに載置した食パンの端面を前記受板に当接した状態で、規制板の上下方向に延設されたスリットに切断刃を案内することにより、食パンをスライス切断するように構成されている。
【先行技術文献】
【特許文献】
【０００３】
【特許文献１】実開平２−７５０５２号公報
【特許文献２】実開昭６４−３１０５８号公報
【考案の概要】
【考案が解決しようとする課題】
【０００４】
一般的に、１斤の食パンは、例えば、５枚切、６枚切のように、均等に切断したスライス片の枚数を基準として、該スライス片の厚さが特定される。従って、家庭用の食パン用スライス装置を使用することにより食パンをスライスする際、ユーザは、自己が好む所望のスライス厚さを望んでいる。ところが、従来の食パン用スライス装置は、このような要望に対して応えていない。
【０００５】
また、前記スリットは、切断刃を案内することにより切断方向の偏位を防止するが、食に適した状態の食パンＢは柔らかいため、切断刃の切断抵抗により変形し易く、偏位した切断面を形成するおそれがある。
【課題を解決するための手段】
【０００６】
本考案は、簡単容易に所望のスライス厚さとなるように食パンをスライスすることができ、しかも、綺麗な切断面を得ることを可能とした装置を提供するものであり、その手段として構成したところは、支持テーブルと、前記支持テーブルの前面に立設された受板と、前記支持テーブルの両側面に立設された規制板を備え、支持テーブルに載置した食パンの端面を前記受板に当接した状態で、規制板の上下方向に延設されたスリットに切断刃を案内することにより、食パンを所定の厚さでスライス切断する装置において、前記受板は、前記スライスの厚さ方向に移動自在かつ固定自在とされた厚さ選択機構を介して前記支持テーブルに取付けられており、前記厚さ選択機構は、前記受板から前記厚さ方向に延設された嵌合板と、前記支持テーブルの上面で前記嵌合板を前記厚さ方向に摺動自在に嵌合させる嵌合溝と、前記支持テーブルから延設されると共に前記嵌合溝に嵌合された嵌合板の下面に向けて付勢される揺動部材を備え、前記揺動部材の上面に設けた係止爪を、前記厚さ方向に間隔をあけて前記嵌合板の下面に配置された複数の被係止爪に対して選択的に係止することにより前記嵌合板の摺動を阻止するように構成され、前記揺動部材から前記支持テーブルの前端を超えて延びる操作片を設け、該操作片を下動することにより前記係止爪を被係止爪から離反させるように構成して成る点にある。
【０００７】
本考案の好ましい実施形態は、前記支持テーブルの上面に、前記嵌合溝に臨んで前記嵌合板の位置を表示するスライス厚さ表示手段を設けている。
【０００８】
更に、前記規制板は、相互の間隔を調整自在とする調節機構を介して支持テーブルに取付けられている。
【考案の効果】
【０００９】
本考案によれば、厚さ選択機構１６により受板３を厚さ方向Ｘに移動調節した後、支持テーブル１に載置した食パンＢを受板３に当接させた状態で、規制板４、４のスリット５に案内させながら切断刃６ａを押下げることにより、食パンＢを好適に切断することができるので、簡単容易に所望の厚さのスライス片を得ることができる。
【００１０】
この際、前記受板３の移動調節は、操作片１９ａを指先で押下げ、係止爪２１を被係止爪２０から離反させた状態で、嵌合溝１８に対して嵌合板１７を移動させる簡単容易な作業により行うことができ、規制板４のスリット５と受板３の対向面との間の距離Ｔを設定することにより、スライス片の厚みを選択することができる。
【００１１】
そして、請求項２に記載の本考案によれば、受板３を厚さ方向Ｘに移動調節する際、スライス厚さ表示手段２２を視認することにより、食パンＢを切断した後に得られるスライス片の厚さが所望のものかどうかを容易に確認することができる。
【００１２】
更に、請求項３に記載の本考案によれば、調節機構２３を介して規制板４、４の間隔Ｗを調節することにより、規制板４、４が食パンＢの両側面を保持するので、切断刃６ａの切断抵抗による食パンＢの変形を好適に防止することができ、所望の綺麗な切断面を得るようにスライス切断することが可能となる。
【図面の簡単な説明】
【００１３】
【図１】本考案の１実施形態に係る食パン用スライス装置の使用状態を示す斜視図である。
【図２】本考案の１実施形態に係る食パン用スライス装置を分解状態にて示す斜視図である。
【図３】食パン用スライス装置の支持テーブルとガイドテーブルを展開状態にて示す縦断面図である。
【図４】食パン用スライス装置の支持テーブルとガイドテーブルを折畳み状態にて示す縦断面図である。
【図５】支持テーブルとガイドテーブルを分解状態にて示す斜視図である。
【図６】受板の選択機構を拡大して示す縦断面図である。
【図７】支持テーブルと受板を分解状態にて示す斜視図である。
【図８】支持テーブルと規制板を分解状態にて示す斜視図である。
【図９】規制板の調節機構を分解状態にて示す横断面図である。
【図１０】規制板の調節機構の作用を示す横断面図である。
【考案を実施するための形態】
【００１４】
以下図面に基づいて本考案の好ましい実施形態を詳述する。
【００１５】
図１及び図２に示すように、食パン用スライス装置は、支持テーブル１と、前記支持テーブル１に連設されるガイドテーブル２と、前記支持テーブル１の前面に立設される受板３と、前記支持テーブル１の両側面に立設される一対の規制板４、４を備え、前記ガイドテーブル２及び支持テーブル１に食パンＢを載置し、食パンＢの前側の端面Ｂｆを前記受板３に当接した状態で、前記規制板４、４の上下方向に延設されたスリット５の上端開口５ａから包丁やナイフ等の切断具６の切断刃６ａを挿入し、スリット５により案内した状態で下動することにより、食パンＢを所定の厚さでスライス切断するように構成されている。
【００１６】
図示実施形態の場合、食パン用スライス装置と別体の保持具７が提供され、該保持具７により食パンＢの尾端側の端面Ｂｂを保持することにより、スライス切断時における食パンＢを保形するように構成している。保持具７は、把手８を設けた平板状の保持板９の側縁に該把手８の反対側に向けて突出する保持リブ１０を形成しており、該保持リブ１０を前記端面Ｂｂの側縁部に係止した状態で保持板９を端面Ｂｂに面接触させ押圧することにより、切断刃６ａを押したり引いたりしてスライス切断する際の食パンＢの変形を防止する。
【００１７】
前記支持テーブル１とガイドテーブル２は、図３に示すような相互に上面を面一とした展開姿勢と、図４に示すようなガイドテーブル２を起立させた折畳み姿勢を可能とするように、相互に回動自在に連結されており、折畳み姿勢とした状態で、ガイドテーブル２と受板３の間に前記保持具７を収納可能とする収納空間Ｓを形成する。
【００１８】
このため、図５に示すように、支持テーブル１の尾端側の両側に枢軸１１が突設され、ガイドテーブル２の前側の両側に延設したブラケット１２に枢支孔１３が形成され、前記枢軸１１と枢支孔１３を相互に回動自在に嵌合するように構成している。この際、枢軸１１の周囲に位置決め突起１４を設けると共に、前記枢支孔１３の周囲に位置決め孔１５を設け、前記展開姿勢と折畳み姿勢のそれぞれの位置で位置決め突起１４が位置決め孔１５に嵌合することにより各姿勢を保持するように構成することが好ましい。
【００１９】
図６及び図７に示すように、前記受板３は、食パンＢのスライス厚さ方向（図示矢印Ｘ方向）に移動自在かつ固定自在とされた厚さ選択機構１６を介して支持テーブル１に取付けられる。
【００２０】
前記厚さ選択機構１６は、受板３から支持テーブル１に向けて前記厚さ方向Ｘに延設された舌片状の嵌合板１７と、支持テーブル１の上面で前記嵌合板１７を前記厚さ方向Ｘに摺動自在に嵌合させる嵌合溝１８と、支持テーブル１から延設されると共に前記嵌合溝１８に嵌合された嵌合板１７の下面に向けて付勢される揺動部材１９を備えている。図示実施形態の場合、前記嵌合溝１８と嵌合板１７を摺動自在とする嵌合構造は、蟻溝と蟻により形成され、揺動部材１９は、可撓性の合成樹脂により支持テーブル１と一体成形された嵌合溝１８の溝底部分に一対のスリットを形成することにより、該スリットの間の溝底部分により形成されており、該揺動部材１９から支持テーブル１の前端を超えて延びる操作片１９ａを設けている。
【００２１】
前記嵌合板１７は、下面に前記厚さ方向Ｘに間隔をあけて配置された複数の被係止爪２０を設け、前記揺動部材１９は、上面に前記複数の被係止爪２０に選択的に係止する係止爪２１を設けている。揺動部材１９は、図６に矢印で示すように、常時は上方Ｕに向けて弾発付勢されているが、操作片１９ａを指先で押動すると、下方Ｄに向けて揺動させられる。前記係止爪２１と被係止爪２０は、嵌合板１７を嵌合溝１８に対して挿入し、該挿入方向とされた図示矢印のＸ１方向に向けて前進させたとき、係止爪２１が被係止爪２０を乗り越えながら進入するが、嵌合板１７を嵌合溝１８から引き抜く図示矢印のＸ２方向に後退させたとき、係止爪２１が被係止爪２０に固定係止するようなラチェット爪により構成されている。
【００２２】
このため、嵌合板１７を嵌合溝１８に対して挿入移動するときは、揺動部材１９の下方Ｄに向かう揺動を介して、前記係止爪２１が被係止爪２０を乗り越えながら進入し、嵌合板１７の移動を停止したときは、揺動部材１９の上方Ｕに向かう弾発付勢力により、前記係止爪２１が所望の被係止爪２０に固定係止する。従って、ユーザは、操作片１９ａを指先で押下げ、係止爪２１を被係止爪２０から離反させた状態で、嵌合板１７と共に受板３を前記厚さ方向Ｘに移動調節することが可能である。そして、所望の移動位置で操作片１９ａから指先を離すと、係止爪２１が所望の選択された被係止爪２０に係止するので、これにより規制板４のスリット５と受板３の対向面との間の距離Ｔを所望の数値に設定することが可能である。この距離Ｔにより、切断される食パンＢのスライス片の厚みが設定される。
【００２３】
前述のように距離Ｔを設定した状態で支持テーブル１の前面に起立する受板３は、嵌合板１７の可視部１７ａを嵌合溝１８の上に現している。図例の場合、嵌合溝１８を横断する嵌合板１７の縁部により可視部１７ａを構成しているが、嵌合板１７の表面に表示したマーク等により構成しても良い。これに対して、支持テーブル１の上面には、嵌合溝１８に臨んで前記可視部１７ａの移動位置を表示するスライス厚さ表示手段２２が設けられている。図示実施形態の場合、前記距離Ｔをそのまま数値として表す数値表示２２ａと、前記距離Ｔを１斤の食パンのスライス枚数に換算した数値として表す枚数表示２２ｂを示している。従って、ユーザは、前述のように受板３を厚さ方向Ｘに移動調節する際、スライス厚さ表示手段２２を視認することにより、食パンＢを切断した後に得られるスライス片の厚さが所望のものかどうかを容易に確認することができる。
【００２４】
図８ないし図１０に示すように、前記規制板４、４は、相互の間隔を調整自在とする調節機構２３を介して支持テーブル１の両側に取付けられる。
【００２５】
前記調節機構２３は、規制板４の下端部から内側に向けて突設された雄手段２４と、該雄手段２４を受入れるように支持テーブル１の両側に凹入形成された雌手段２５を備えている。
【００２６】
前記雌手段２５は、下部を開口した溝を形成し、該溝のほぼ中央部に可撓性の合成樹脂により支持テーブル１と一体成形された平行なリブ壁２６、２６を形成し、溝の開口縁の両側に設けた長尺支持レール２７、２７と、リブ壁２６、２６の下端外側に設けた短尺支持レール２８、２８を対向させており、リブ壁２６、２６に外向きの係止突起２９を設けている。
【００２７】
前記雄手段２４は、前記溝の下部開口から嵌入されたとき、前記長尺支持レール２７、２７に摺動自在に支持される外側壁３０、３０と、前記リブ壁２６、２６を挟んで前記短尺支持レール２８、２８に摺動自在に支持される内側壁３１、３１を設けており、該内側壁３１の内側に前記係止突起２９に選択的に係止される複数の凹部３２を形成している。
【００２８】
従って、図１０に示すように、規制板４の雄手段２４は、支持テーブル１の雌手段２５に対し、前記リブ壁２６、２６の可撓性変形を介して、押し込み方向と引き抜き方向に移動自在であり、所望位置に停止した状態で、前記係止突起２９を所望の凹部３２に係止させ、雄手段２４を停止位置に保持する。これにより、一対の規制板４、４の間隔Ｗを調節することが可能である。
【００２９】
図示実施形態の場合、図８に示すように、雄手段２４の上面に上向きに弾発付勢された押圧片３３が設けられており、該押圧片３３を雌手段２５の上部内面に押圧させることにより、雄手段２４を雌手段２５の内部で遊動しないように保持している。
【００３０】
上記構成の実施形態によれば、スライス厚さ表示手段２２を視認しつつ、厚さ選択機構１６により受板３を厚さ方向Ｘに移動調節した後、ガイドテーブル２に載置した食パンＢを支持テーブル１に向けて移動し、該食パンＢの前側の端面Ｂｆを受板３に当接させた状態で、規制板４、４のスリット５に案内させながら切断刃６ａを押下げると、これにより食パンＢが切断され、簡単容易に所望の厚さのスライス片が得られる。
【００３１】
この際、食パンＢは、柔らかく形成されているため、切断刃６ａの切断抵抗により変形し易く、切断面が偏位するおそれがある。このため、切断に先立ち、調節機構２３により規制板４、４の間隔Ｗを調節し、該規制板４、４により食パンＢの両側面を保持することが好ましく、これにより切断時の食パンＢの変形を好適に防止できる。
【００３２】
更に、スライスを繰り返すうちに食パンＢは次第に薄くなり、前記規制板４、４により両側面を保持した状態でも切断面が偏位するおそれがある。この場合、上述のように保持具７により食パンＢの尾端側の端面Ｂｂを押圧保持することにより、切断抵抗による食パンＢの変形を好適に防止することができ、所望の綺麗な切断面となるようにスライス切断することが可能となる。
【符号の説明】
【００３３】
１  支持テーブル
２  ガイドテーブル
３  受板
４  規制板
５  スリット
６ａ  切断刃
７  保持具
１６  厚さ選択機構
１７  嵌合板
１８  嵌合溝
１９  揺動部材
１９ａ  操作片
２０  被係止爪
２１  係止爪
２２  スライス厚さ表示手段
２３  調節機構
【図１】
0003170469.tif 000003
【図２】
0003170469.tif 000004
【図３】
0003170469.tif 000005
【図４】
0003170469.tif 000006
【図５】
0003170469.tif 000007
【図６】
0003170469.tif 000008
【図７】
0003170469.tif 000009
【図８】
0003170469.tif 000010
【図９】
0003170469.tif 000011
【図１０】
0003170469.tif 000012